【手続補正書】
【提出日】平成18年9月1日(2006.9.1)
【手続補正１】
【補正対象書類名】明細書
【補正対象項目名】００１８
【補正方法】変更
【補正の内容】
【００１８】
ここで説明する実施形態では、グリフを用いるが、その他の方法として、グリフは、どのようなシステムに置き換えられてもよく、このシステムは、可視及び不可視のシステムを含み、データアドレスコードを提供する。ここで説明する実施形態では、視覚的な印を用いるが、その他の方法として視覚的な印を感覚的な印に置き換えることもでき、この感覚的な印は、機械読込み可能なデータアドレスコードが、アドレスの論理的な参照を提供する間に、ユーザ又は機械を導き場所を選択するように働くことができる。ここで説明する実施形態では、紙の基板を用いるが、この紙の基板はどのような媒体によって置き換えられてもよく、この媒体は、データアドレスコードを埋め込むことができ、機械によって読込み可能である。
【手続補正２】
【補正対象書類名】明細書
【補正対象項目名】００３１
【補正方法】変更
【補正の内容】
【００３１】
ここで使われる用語「コンピュータによって読込み可能な媒体」とは、命令を実行のためにプロセッサ１７２２に提供する作業に参加するいずれかの媒体を意味する。このような媒体には多数の形式があり、これに制限されないが、不揮発性記憶媒体、揮発性記憶媒体、及び送信媒体を含む。不揮発性記憶媒体は、例えば記憶装置１７２０などの光学又は磁気ディスクを含む。揮発性記憶媒体は、メインメモリ１７１６などのＲＡＭを含む。送信媒体は、同軸ケーブル、銅線、及び光ファイバを含み、バス１７２６を形成する配線を含む。送信媒体はまた、電波及び赤外線データ通信の過程で発生するような音響又は光の波の形を取ることもある。
【手続補正３】
【補正対象書類名】明細書
【補正対象項目名】００５７
【補正方法】変更
【補正の内容】
【００５７】
図９は、コンピュータ１７１２が、グリフカーペットの獲得領域のアドレスを決定するステップを示すフローチャートである。ＢＤＭが０°に配向されている場合、ＢＤＭの斜線に沿ったビット位置は、一列おきに同じ値を有することが好適である。しかし、イメージ獲得処理や、可視印による妨害により、ＢＤＭデータに誤差や消去が生じるかもしれない。こうした誤差や消去の影響を減らすために、コンピュータ１７１２は、奇数列がずれる方向の斜線に沿って多数票(majority vote)をとり、さらに、偶数列がずれる方向の各斜線に沿った偶数列に対して多数票処理を繰り返す（ステップ２２２５）。この結果、奇数列に対しては第１コード列（シーケンス）が、また偶数列に対しては第２コード列（シーケンス）が、それぞれ得られる。多数票によって各ビット位置を正確に求められる範囲において、第１および第２コード列（シーケンス）は、それぞれ奇数または偶数列セットに対応するオリジナル疑似ノイズアドレス列のサブシーケンス（subsequence）と一致すべきである。
【手続補正４】
【補正対象書類名】明細書
【補正対象項目名】００６４
【補正方法】変更
【補正の内容】
【００６４】
ピークの大きさに対応するＵｉおよびＶｉ位置値（ｉは１または２）を使用して、ステップ２２１１で選択した基準要素に対応するＸ値およびＹ値を決定する。つまり、（Ｐ１＋Ｑ１）＞（Ｐ２＋Ｑ２）であれば（ステップ２２３２）、Ｕ１とＶ１を使用して、ステップ２２１１で選択した基準グリフ位置のＸおよびＹ位置を計算する（ステップ２２３６）。（Ｐ１＋Ｑ１）≦（Ｐ２＋Ｑ２）であれば（ステップ２２３２）、Ｕ２とＶ２を使用して、ステップ２２１１で選択した基準グリフ位置のＸおよびＹ位置を計算する（ステップ２２３４）。次の式にしたがってアドレス情報を求める。
【手続補正５】
【補正対象書類名】明細書
【補正対象項目名】図面の簡単な説明
【補正方法】変更
【補正の内容】
【図面の簡単な説明】
【図１】  セルフクロッキンググリフコードパタン及びその２進解釈（binary interpretation）の一部を示す図である。
【図２】  グリフアドレスカーペットを用いて実施されたユーザインターフェースの例を示す図である。
【図３】  グリフアドレスカーペットのユーザ選択部分を捕捉し、この捕捉部分のグリフを復号化する画像捕捉システムのブロック図である。
【図４】  ホットゾーンを実行するユーザインタフェースの実施形態を示す図であ。
【図５】  カメラペン１７１０を用いる選択プロセスを示す図である。
【図６】  本発明の原理に一致する、図形ユーザインターフェースを実施するために用いられる第２のタイプの選択プロセスを示す図である。
【図７】  グリフアドレスカーペット１７３２の符号化されたアドレスコードの実施形態を示す図である。
【図８】  コンピュータ１７１２により、捕捉画像領域に実行される明確化及びアドレス復号化プロセスを示すフローチャートである。
【図９】  コンピュータ１７１２により、捕捉画像領域に実行される明確化及びアドレス復号化プロセスを示すフローチャートである。
【図１０】  カメラペン１７１０によって捕捉されたグリフ格子から形成された２進データマトリクスを示す図である。
【図１１】  相関ステップ２１１６及び２１１８を実行するためのプロセスを示すフローチャートである。
【図１２】  捕捉された画像のグリフによって符号化されたアドレスを決定するための、コンピュータ１７１２により実行される分析を示す図である。
【図１３】  アドレスカーペット１６１２が、それぞれのアドレス範囲を有する領域にどのように分割されるかを示す図である。
【図１４】  Ｎ次元画像アドレス空間の読みとり可能な断片を示す図である。
【符号の説明】
１７１０  画像捕捉装置（カメラペン）、１７１２  コンピュータシステム、１７２２  プロセッサ、１７２８  フレームキャプチャ、１７３０  ディスプレイ、１７３２  グリフアドレスカーペット、２１１０  アドレスコード。
【手続補正６】
【補正対象書類名】図面
【補正対象項目名】図１
【補正方法】変更
【補正の内容】
【図１】
2000099257.tif 000001
【手続補正７】
【補正対象書類名】図面
【補正対象項目名】図２
【補正方法】変更
【補正の内容】
【図２】
2000099257.tif 000002
【手続補正８】
【補正対象書類名】図面
【補正対象項目名】図３
【補正方法】変更
【補正の内容】
【図３】
2000099257.tif 000003
【手続補正９】
【補正対象書類名】図面
【補正対象項目名】図４
【補正方法】変更
【補正の内容】
【図４】
2000099257.tif 000004
【手続補正１０】
【補正対象書類名】図面
【補正対象項目名】図５
【補正方法】変更
【補正の内容】
【図５】
2000099257.tif 000005
【手続補正１１】
【補正対象書類名】図面
【補正対象項目名】図６
【補正方法】変更
【補正の内容】
【図６】
2000099257.tif 000006
【手続補正１２】
【補正対象書類名】図面
【補正対象項目名】図７
【補正方法】変更
【補正の内容】
【図７】
2000099257.tif 000007
【手続補正１３】
【補正対象書類名】図面
【補正対象項目名】図１０
【補正方法】変更
【補正の内容】
【図１０】
2000099257.tif 000008
【手続補正１４】
【補正対象書類名】図面
【補正対象項目名】図１２
【補正方法】変更
【補正の内容】
【図１２】
2000099257.tif 000009
【手続補正１５】
【補正対象書類名】図面
【補正対象項目名】図１３
【補正方法】変更
【補正の内容】
【図１３】
2000099257.tif 000010